(57)【要約】【課題】プロテクタに位置決め固定したコルゲートチューブがプロテクタから抜け出るのを防止する。【解決手段】自動車に配索する電線を挿通したコルゲートチューブを外装するプロテクタであって、樋形状のプロテクタ本体の底壁および両側壁の内面より上記コルゲートチューブの谷部に嵌合するＵ形状のリブを間隔をあけて突設し、コルゲートチューブの長さ方向を位置決め保持すると共に、上記プロテクタの側壁内面の上記リブに挟まれた位置で且つ上記リブの上端位置以下の高さ位置に係止爪を突設し、該係止爪を上記コルゲートチューブを外周面に押し当ててコルゲートチューブの抜け止めしている。【選択図】　図４
2004135449.tif 000002
【特許請求の範囲】
【請求項１】
自動車に配索する電線を挿通したコルゲートチューブを外装するプロテクタであって、
樋形状のプロテクタ本体の底壁および両側壁の内面より上記コルゲートチューブの谷部に嵌合するＵ形状のリブを間隔をあけて突設し、コルゲートチューブの長さ方向を位置決め保持すると共に、上記プロテクタの側壁内面の上記リブに挟まれた位置で且つ上記リブの上端位置以下の高さ位置に係止爪を突設し、該係止爪を上記コルゲートチューブを外周面に押し当ててコルゲートチューブの抜け止めしていることを特徴とするプロテクタ。
【請求項２】
上記プロテクタ本体の上面開口を閉鎖する蓋に押さえ突起を突設し、上記リブと係止爪とでプロテクタ本体にコルゲートチューブを仮止めした状態で、上記蓋を被せて上記押さえ突起により上方よりコルゲートチューブを押圧固定している請求項１に記載のコルゲートチューブのプロテクタ。
【請求項３】
上記係止爪は、断面略三角形状で、上記プロテクタの側壁内面より、上面を下方傾斜させてＶ形状に突出させ、かつ、上記係止爪の上面に凹部を設けている請求項１または請求項２に記載のプロテクタ。
【請求項４】
上記プロテクタ本体は上下方向に屈折し、下方屈折部の先端開口位置に上記リブと係止爪を設けている請求項１乃至請求項３のいずれか１項に記載のプロテクタ。
【発明の詳細な説明】
【０００１】
【発明が属する技術分野】
本発明は、プロテクタに関し、詳しくは、自動車に配索するワイヤハーネスをコルゲートチューブ内に通し、該コルゲートチューブを所要箇所でプロテクタ内に通す場合、あるいは、ワイヤハーネスを通したコルゲートチューブの先端をプロテクタ内に挿入係止する場合に、プロテクタに対してコルゲートチューブを簡単確実に係止出来るようにするものである。
【０００２】
【従来の技術】
この種のプロテクタにコルゲートチューブを係止する場合、図７に示すように、上下一対のプロテクタ１の内周面に凹部１ａと凸部１ｂとを設け、電線ｗを通したコルゲートチューブ２の半周側の谷部２ｂに凸部１ｂを、山部２ａに凹部１ａを嵌合して横ずれを防止し、その後、蓋側となる他方のプロテクタを被せて固定し、電線ｗの配索方向にコルゲートチューブ２を位置決め固定している。（実開平６−８４７２６号参照）
【０００３】
【特許文献１】
実開平６−８４７２６号公報
【０００４】
【発明が解決しようとする課題】
しかしながら、上記のように、プロテクタ１の内面にコルゲートチューブの山谷と嵌合する凹凸を設けただけの形状であると、上下一対のプロテクタの一方側にコルゲートチューブ２の半周側の山谷をプロテクタの凹凸に嵌合した後、他方側のプロテクタ（蓋）を被せて固定までの間に、コルゲートチューブの位置ずれや浮き上がりが発生し、蓋を被せるまでに、コルゲートチューブ２がプロテクタ１から抜け出やすい。また、コルゲートチューブの位置ずれが発生するとワイヤハーネスの寸法精度が悪くなる問題もある。
よって、コルゲートチューブ２がプロテクタ１から抜け出ないように、作業員が手で押さえながら蓋を取り付ける必要があり、作業効率が悪いという問題がある。
【０００５】
本発明は上記問題に鑑みてなされたものであり、プロテクタに嵌合したコルゲートチューブが抜け出るのを防止することにより、寸法精度を確保すると共に、作業効率を向上することを課題としている。
【０００６】
【課題を解決するための手段】
上記課題を解決するため、本発明は、自動車に配索する電線を挿通したコルゲートチューブを外装するプロテクタであって、
樋形状のプロテクタ本体の底壁および両側壁の内面より上記コルゲートチューブの谷部に嵌合するＵ形状のリブを間隔をあけて突設し、コルゲートチューブの長さ方向を位置決め保持すると共に、上記プロテクタの側壁内面の上記リブに挟まれた位置で且つ上記リブの上端位置以下の高さ位置に係止爪を突設し、該係止爪を上記コルゲートチューブを外周面に押し当ててコルゲートチューブの抜け止めしていることを特徴とするプロテクタを提供している。
【０００７】
上記構成とすると、上記プロテクタの底壁および両側壁の内面よりＵ形状のリブを長さ方向に間隔をあけて突設し、該リブを電線に外装したコルゲートチューブの谷部に嵌合しているので、コルゲートチューブの長さ方向を位置ずれを規制でき、この状態で、リブに挟まれた位置に突設した係止爪をコルゲートチューブの外周面に押し当てて、コルゲートチューブが上方に抜け出ることが防止でき、コルゲートチューブを確実に位置決め保持することができる。
特に、リブの上端位置以下、このましくは、リブの両側は側壁の上端まで延在させ、係止爪はリブの両側上端より低い位置に突設し、係止爪にコルゲートチューブが当たる前に（あるいは係止爪と当たると同時に）コルゲートチューブの谷部にリブと嵌合させ、リブにより横ずれを防止してコルゲートチューブを垂直に押し込まれるようにしている。この状態で、係止爪を乗り越えてコルゲートチューブを押し込むと、コルゲートチューブを横ずれさせることなく係止爪を乗り越えて押し込むことができる。このように、コルゲートチューブが係止爪と当たった後に係止爪を乗り越えて押し込まれ、コルゲートチューブの山部外周面に係止爪が当接させることができる。かつコルゲートチューブが係止爪を乗り越えた時に、“パチン”と節度音が発生し、作業員は係止爪でコルゲートチューブが係止したことを確認することができる。
【０００８】
また、上記プロテクタ本体の上面開口を閉鎖する蓋に押さえ突起を突設し、上記リブと係止爪とでプロテクタ本体にコルゲートチューブを仮止めした状態で、上記蓋を被せて上記押さえ突起により上方よりコルゲートチューブを押圧固定している。
【０００９】
上記構成とした場合は、係止爪はコルゲートチューブの仮止めの機能を果たし、係止爪による係止だけではコルゲートチューブがプロテクタの底壁から浮き上がっている場合、上記蓋の押さえ突起によりコルゲートチューブを底壁側に押し当てて本止め（本固定）することができる。
このように、蓋の押さえ突起により上方よりコルゲートチューブを押圧固定すると、コルゲートチューブの長さ方向を規制するリブと、上下方向を規制する押さえ突起および上記係止爪とにより、プロテクタと蓋の内部で移動不可に固定でき、配索方向のズレを確実に防ぐと共に、振動によって生じるコルゲートチューブのバタツキによる異音の発生を防ぐことができる。
【００１０】
上記係止爪は、断面略三角形状で、上記プロテクタの側壁内面より、上面を下方傾斜させてＶ形状に突出させ、かつ、上記係止爪の上面に凹部を設けている。上記構成とすると、上記係止爪の傾斜面にコルゲートチューブを滑らせてリブ間にコルゲートチューブの山部を嵌合することができるので、作業効率を低下させることがない。また、係止爪の下面を側壁内面より上方傾斜させており、コルゲートチューブが自然に抜け出ることはないが、作業の間違い等が生じたときに人手により抜き出して、作業のやり直しをすることができる。さらに、係止爪の上面に凹部を設けることで係止爪の剛性を下げ、コルゲートチューブの挿入力を低下させているので、容易にコルゲートチューブを挿入することができ、作業効率を低下させることがない。
【００１１】
上記プロテクタが上下に屈折し、その下方屈折部の先端開口にコルゲートチューブを通す場合に、上記先端開口位置に上記リブと係止爪を設けていることが好ましい。
【００１２】
上記構成とすると、下方位置の先端開口位置ではコルゲートチューブが浮き上がり易いため、コルゲートチューブを上記係止爪で上方より押さえることにより浮き上がりを防止でき、コルゲートチューブをプロテクタに容易に係止することができる。
【００１３】
【発明の実の形態】
以下、本発明の実施の形態を図面を参照して説明する。
図１乃至図５は、本発明の第１実施形態を示す。
【００１４】
図１に示すように、プロテクタ１０は蓋１１とプロテクタ本体１２とからなり、プロテクタ本体１２は底壁部１２ａと側壁部１２ｂとからなる樋形状とし、蓋１１は上壁部１１ａと側壁部１１ｂとからなる樋形状としている。プロテクタ本体１２と蓋１１は共に、両端部を水平方向に延在しており、その中間部で上下方向に屈折している。また、プロテクタ本体１２の側壁部１２ｂ外面に枠状のロック部１２ｅを設けると共に、蓋１１の側壁部１１ｂ外面にロック爪１１ｄを突設して、プロテクタ本体１２と蓋１１とをロック結合している。
【００１５】
プロテクタ本体１２の内周面には、図２に示すように、電線を引き出す側の端部近傍に、コルゲートチューブ２０の長さ方向に谷部２０ａに相当する間隔をあけて、リブ１２ｃを突設している。リブ１２ｃは断面Ｕ形状とし、側壁部１２ｂの上端部まで延在させると共に、コルゲートチューブ２０の谷部２０ｂに嵌合する高さ及び幅に設定している。
また、上記リブ１２ｃの間には、側壁部１２ｂ内周面のリブ１２ｃの上端より若干下方位置から係止爪１２ｄを内側に向けて突設している。これら係止爪１２ｄの上面を下方傾斜させると共に下面を上方傾斜させて断面Ｖ形状としている。
【００１６】
上記プロテクタ本体１２の上面開口を閉鎖する蓋１１の底壁部１１ａの内面には、図３に示すように、押さえ突起１１ｃを突設している。この押さえ突起１１ｃの先端面は円弧状とし、該押さえ突起１１ｃを蓋１１の幅方向の中央位置、かつ、上記リブ１２ｃの間に対向する位置に設けている。
【００１７】
図４に示すように、プロテクタ１０に挿通するワイヤハーネスＷ／Ｈには、山部２０ａと谷部２０ｂを連続してなるコルゲートチューブ２０を外装している。
このコルゲートチューブ２０の先端をプロテクタ１０の先端部に挿入して固定する工程を、以下に説明する。
【００１８】
まず、プロテクタ本体１２にコルゲートチューブ２０を上方から挿入し、コルゲートチューブ２０の下側周面の谷部２０ｂをリブ１２ｃに嵌合させて、コルゲートチューブ２０をプロテクタ本体１２内に押し込む。この時、コルゲートチューブ２０は係止爪１２ｄを乗り越え、コルゲートチューブ２０の上側外周面の山部２０ａに係止爪１２ｄが押し当てられ、コルゲートチューブ２０はリブ１２ｃにより長さ方向が位置決めされると共に、浮き上がりは係止爪１２ｄにより防止される。
【００１９】
次いで、蓋１１をプロテクタ本体１２に被せ、蓋１１のロック爪１１ｄをプロテクタ本体１２のロック部１２ｅに挿入係止してロック結合している。このとき、蓋１１に突設した押さえ突起１１ｃでコルゲートチューブ２０の上側外周面を押圧して、図５に示すように、コルゲートチューブ２０をプロテクタ本体１２内に位置決め固定している。
【００２０】
上記構成とすると、プロテクタ本体１２の内面よりＵ形状のリブ１２ｃを間隔をあけて突設し、該リブ１２ｃをワイヤハーネスＷ／Ｈに外装したコルゲートチューブ２０の谷部２０ｂに嵌合しているので、コルゲートチューブ２０の長さ方向を位置決め保持して、寸法精度を確保することができる。
また、間隔をあけて突設したリブ１２ｃに挟まれた位置に係止爪１２ｄを突設し、該係止爪１２ｄをコルゲートチューブ２０を上側外周面に押し当ててコルゲートチューブ２０が浮き上がって抜けでることを防止しているため、プロテクタ本体１２内に確実に位置決め保持できる。
このようにプロテクタ本体１２側で確実に保持された状態で、蓋１１を被せるため、該蓋１１を被せるまでの間、作業員がコルゲートチューブ２０を手で押さえておく必要はなく、コルゲートチューブ２０をプロテクタ本体１２内に固定する作業を簡単に行うことができる。
【００２１】
さらに、上記リブ１２ｃの上端より若干下方位置の高さに係止爪１２ｄを突設しているので、言い換えれば、リブ１２ｃをプロテクタ本体１２の両側壁部１２ｂの先端まで突出しているため、係止爪１２ｄにコルゲートチューブ２０が当たる前にリブ１２ｃにコルゲートチューブ２０の谷部２０ｂを先に嵌合した状態でコルゲートチューブ２０を係止爪１２ｄと当てることができる。そのため、コルゲートチューブ２０が横ずれすることなく、安定した状態で真っすぐに押し込んで、係止爪１２ｄを乗り越えさせることができる。かつ、コルゲートチューブ２０の上側の山部の両側を係止爪１２ｃで上方から押さえるため、コルゲートチューブ２０を安定した状態で保持することができる。
【００２２】
さらに、プロテクタ本体１２ｂに保持しているコルゲートチューブ２０を、蓋１１の押さえ突起１１ｃにより上方より押圧固定しているので、コルゲートチューブ２０の谷部２０ｂをリブ１２ｃに確実に嵌合させて、コルゲートチューブ２０の長さ方向への横ずれ防止できると共に、プロテクタ本体１２と蓋１１の間で上下移動も防止できる。よって、自動車走行時の振動によって生じるワイヤハーネスＷ／Ｈ及びコルゲートチューブ２０のバタツキによる異音の発生を防ぐことができる。
【００２３】
図６は、本発明の第２実施形態を示す。
図６に示すように、直線形状のプロテクタ１０’は、蓋１１’とプロテクタ本体１２’とからなり、その両端部でワイヤハーネスＷ／Ｈに外装したコルゲートチューブ２０を位置決め固定している。該固定構造は、上記第１実施形態と同様であり、プロテクタ本体１２’の内周面に設けたリブをコルゲートチューブ２０の谷部に嵌合すると共に、係止爪でコルゲートチューブ２０の上面側を押さえ、さらに、蓋１１’に突設する押さえ突起によりコルゲートチューブ２０をプロテクタ本体１２’内に押し込んで、位置決め固定している。
なお、上記プロテクタ１０’は、屈折部を備えていない点以外は上記第１実施形態のプロテクタ１０と同様であるため、その他の構成については説明を省略する。
【００２４】
このように、上記固定構造は上下方向の屈折部を備えたプロテクタに限らず、直線形状のプロテクタにおいても適用することができ、コルゲートチューブの位置決め固定作業を容易にすることができる。
【００２５】
【発明の効果】
以上の説明より明らかなように、本発明によれば、プロテクタの底壁および両側壁の内面よりＵ形状のリブを間隔をあけて突設し、該リブを電線に外装したコルゲートチューブの谷部に嵌合しているので、コルゲートチューブの長さ方向を位置決め保持して、寸法精度を確保することができる。
また、プロテクタの側壁内面のリブに挟まれた位置に係止爪を突設し、該係止爪をコルゲートチューブの外周面に押し当ててコルゲートチューブの抜け止めをしているので、位置決めしたコルゲートチューブが抜け出ることによる位置決め作業のやり直しがなくなり作業効率を向上させることができ、上記プロテクタに蓋を被せる場合には、コルゲートチューブが確実に位置決めされた状態で蓋の取付作業を行うことができるので、さらに作業効率を向上させることができる。
特に、リブの上端を側壁上端近傍まで高くし、該リブの上端位置以下の高さ位置に係止爪を突設すると、リブによりコルゲートチューブを横ずれを発生させずに係止爪に当てることができ、スムーズに係止爪を乗り越えさせて、係止爪によりコルゲートチューブを上側外周面を押さえることができる。
【００２６】
また、プロテクタ内に保持しているコルゲートチューブを、蓋に設けた押さえ突起により上方より押圧固定しているので、コルゲートチューブの山部をリブ間に押さえ込んでコルゲートチューブの配索方向へのズレを確実に防ぐと共に、振動によって生じる電線及びコルゲートチューブのバタツキによる異音の発生を防ぐことができる。
【００２７】
さらに、係止爪を断面略三角形状とし、プロテクタの側壁内面より上面を下方傾斜させてＶ形状に突出させると、係止爪の傾斜面にコルゲートチューブを滑らせてリブ間にコルゲートチューブの山部を嵌合することができ、作業効率を低下させることがない。また、係止爪の下面を側壁内面より上方傾斜させており、コルゲートチューブが自然に抜け出ることはないが、作業の間違い等が生じたときに人手により抜き出して、作業のやり直しをすることができる。
【図面の簡単な説明】
【図１】第１実施形態のプロテクタの斜視図である。
【図２】（Ａ）はプロテクタ本体の要部拡大斜視図、（Ｂ）は平面図、（Ｃ）は正面図である。
【図３】（Ａ）は蓋の要部拡大斜視図、（Ｂ）は平面図、（Ｃ）は正面図である。
【図４】プロテクタ本体にコルゲートチューブを位置決め固定している状態を示し、（Ａ）は斜視図、（Ｂ）は平面図、（Ｃ）は正面図である。
【図５】プロテクタにコルゲートチューブを位置決め固定している状態を示す正面図である。
【図６】第２実施形態のプロテクタを示す斜視図である。
【図７】従来例を示す図面である。
【符号の説明】
１０　プロテクタ
１１　蓋
１１ｃ　押さえ突起
１２　プロテクタ本体
１２ｃ　リブ
１２ｄ　係止爪
２０　コルゲートチューブ
２０ａ　山部
２０ｂ　谷部
Ｗ／Ｈ　ワイヤハーネス
【図１】
2004135449.tif 000003
【図２】
2004135449.tif 000004
【図３】
2004135449.tif 000005
【図４】
2004135449.tif 000006
【図５】
2004135449.tif 000007
【図６】
2004135449.tif 000008
【図７】
2004135449.tif 000009